(57)【要約】【課題】この発明は、複数の異なる姿勢でカメラを構えた撮影でも、操作が容易なカメラシステムを提供することである。【解決手段】カメラのボディユニット５０には横位置で入力操作可能な第１の操作部材が設けられており、上記ボディユニット５０に装着されるパワーバッテリホルダ１０には、カメラを縦位置で入力操作可能な第２の操作部材が設けられている。上記カメラが上記横位置か上記縦位置かは、ボディユニット５０内の姿勢センサ８２で検出され、この姿勢センサ８２の出力に基づいて、上記第１の操作部材と上記第２の操作部材の入力操作がボディ制御用マイクロコンピュータ７５で制御される。【選択図】    図１
2005165019.tif 000002
【特許請求の範囲】
【請求項１】
カメラを横位置で入力操作可能な第１の操作部材と、
上記カメラを縦位置で入力操作可能な上記第１の操作部材とは異なる第２の操作部材と、
上記カメラが上記横位置か上記縦位置かを判別するための姿勢検出手段と、
上記姿勢検出手段の出力に基づいて上記第１の操作部材と上記第２の操作部材の入力操作を制御する制御手段と、
を具備したことを特徴とするカメラシステム。
【請求項２】
上記第１及び第２の操作部材はレリーズ釦で構成されることを特徴とする請求項１に記載のカメラシステム。
【請求項３】
カメラを通常の横位置にて撮影を行うための上記カメラに設けられた第１の操作部材と、
上記カメラに取り付け可能な付属品に設けられ、上記カメラの上記横位置から上記カメラを撮影レンズ光軸周りに略９０度回転して縦位置に構えた場合に上、記第１の操作部材のあった位置と同等の機能位置に位置する第２の操作部材と、
上記カメラに設けられ、上記カメラの姿勢を検出する姿勢検出手段と、
上記付属品に設けられ、上記第２の操作部材を無条件に機能させる第１の位置と、上記第２の操作部材を機能させない第２の位置と、上記姿勢検出手段の出力に基づいて、上記第２の操作部材を機能させるための第２の操作部材ロック手段と、
上記姿勢検出手段の出力と上記第２の操作部材ロック手段に基づいて、上記カメラの第１及び第２の操作部材を制御する制御手段と、
を具備したことを特徴とするカメラシステム。
【請求項４】
上記第１及び第２の操作部材はレリーズ釦であることを特徴とする請求項３に記載のカメラシステム。
【請求項５】
カメラを通常の横位置にて撮影を行うための上記カメラ上方に設けられた第１の操作部材と、
上記カメラに取り付け可能な付属品に設けられ、上記カメラの上記横位置から上記カメラを撮影レンズ光軸周りに略９０度回転して縦位置に構えた場合に、上記撮影レンズより上方に位置する第２の操作部材と、
上記カメラに設けられ、上記カメラの姿勢を検出する姿勢検出手段と、
上記付属品に設けられ、上記第２の操作部材を無条件に機能させる第１の位置と、上記第２の操作部材を機能させない第２の位置と、上記姿勢検出手段の出力に基づいて、上記第２の操作部材を機能させるための第２の操作部材ロックスイッチと、
上記姿勢検出手段の出力と上記第２の操作部材ロック手段に基づいて、上記第１の操作部材と第２の操作部材を制御する制御手段と、
を具備したことを特徴とするカメラシステム。
【請求項６】
上記第１及び第２の操作部材はレリーズ釦であることを特徴とする請求項５に記載のカメラシステム。
【請求項７】
カメラを通常の横位置にて撮影を行うための第１の操作部材と、
上記カメラの上記横位置から上記カメラを撮影レンズ光軸周りに略９０度回転して縦位置に構えた場合に、上記第１のレリーズ釦のあった位置と同等の機能位置に位置する第２の操作部材と、
上記カメラの横位置、縦位置を検出する姿勢検出手段と、
上記第２の操作部材を無条件に機能させる第１の位置と、上記第２の操作部材を機能させない第２の位置と、上記姿勢検出手段の出力に基づいて、上記第２の操作部材を機能させるための第２の操作部材ロックスイッチと、
上記姿勢検出手段の出力と上記第２の操作部材ロック手段に基づいて、上記第１の操作部材と第２の操作部材を制御する制御手段と、
を具備したことを特徴とするカメラシステム。
【請求項８】
上記第１及び第２の操作部材はレリーズ釦であることを特徴とする請求項７に記載のカメラシステム。
【請求項９】
カメラを通常の横位置にて撮影を行うための撮影レンズの光軸より上方に位置する第１の操作部材と、
上記カメラの上記横位置から上記カメラを撮影レンズ光軸周りに略９０度回転して縦位置に構えた場合に、上記撮影レンズの光軸より上方に位置する第２の操作部材と、
上記カメラの横位置、縦位置を検出する姿勢検出手段と、
上記第２の操作部材を無条件に機能させる第１の位置と、上記第２の操作部材を機能させない第２の位置と、上記姿勢検出手段の出力に基づいて、上記第２の操作部材を機能させるための第２の操作部材ロックスイッチと、
上記姿勢検出手段の出力と上記第２の操作部材ロック手段に基づいて、上記第１の操作部材と第２の操作部材を制御する制御手段と、
を具備したことを特徴とするカメラシステム。
【請求項１０】
上記第１及び第２の操作部材はレリーズ釦であることを特徴とする請求項９に記載のカメラシステム。
【請求項１１】
カメラを通常の横位置にて撮影を行うための上記カメラの撮影レンズ光軸より上方に設けられた第１の操作部材と、
上記カメラに取り付け可能な付属品に設けられ、上記カメラの上記横位置から上記カメラを撮影レンズ光軸周りに略９０度回転して縦位置に構えた場合に、上記撮影レンズ光軸より上方に位置する第２の操作部材と、
上記カメラに設けられ、上記カメラの姿勢を検出する姿勢検出手段と、
上記姿勢検出手段の出力に基づいて、上記第１の操作部材と上記第２の操作部材を制御する制御手段と、
を具備したことを特徴とするカメラシステム。
【請求項１２】
上記第１及び第２の操作部材はレリーズ釦であることを特徴とする請求項１１に記載のカメラシステム。
【請求項１３】
カメラを通常の横位置にて撮影を行うための上記カメラの撮影レンズ光軸より上方に設けられた第１の操作部材と、
上記カメラの上記横位置から上記カメラを撮影レンズ光軸周りに略９０度回転して縦位置に構えた場合に、上記撮影レンズ光軸より上方に位置する第２の操作部材と、
上記カメラの姿勢を検出する姿勢検出手段と、
上記姿勢検出手段の出力に基づいて、上記第１の操作部材と上記第２の操作部材を制御する制御手段と、
を具備したことを特徴とするカメラシステム。
【請求項１４】
上記第１及び第２の操作部材はレリーズ釦であることを特徴とする請求項１３に記載のカメラシステム。
【請求項１５】
カメラに設けられ、該カメラを通常の横位置にて撮影を行うための上記カメラの撮影レンズ光軸より上方に位置する第１の操作部材と、
上記カメラに取り付け可能な付属品に設けられ、上記カメラが上記横位置にある場合は撮影レンズ光軸より下方に位置し、上記カメラの上記横位置から上記カメラを撮影レンズ光軸周りに９０度回転した第１の縦位置に構えた場合に上記撮影レンズ光軸より上方に位置し、上記カメラが上記横位置にある場合に上記９０度回転とは逆方向に９０度回転させて上記第１の縦位置とは異なる第２の縦位置とした場合に上記撮影レンズ光軸より下方に位置する第１の操作部材と、
上記カメラが横位置にあるのか、上記第１の縦位置にあるのか、上記第２の縦位置にあるのか、を判別する姿勢判別手段と、
上記カメラが上記横位置にあると判別した場合は、上記第１の操作部材を作動可能とし、上記カメラが上記第１の縦位置にあると判別した場合は、上記第２の操作部材を作動可能とし、上記カメラが上記第２の縦位置にあると判別した場合は、上記第１の操作部材を作動可能とする制御手段と、
を具備したことを特徴とするカメラシステム。
【請求項１６】
上記第１及び第２の操作部材はレリーズ釦であることを特徴とする請求項１５に記載のカメラシステム。
【請求項１７】
カメラを通常の横位置にて撮影を行うための上記カメラの撮影レンズ光軸より上方に設けられた第１の操作部材と、
上記カメラが上記横位置にある場合は撮影レンズ光軸より下方に位置し、上記カメラの上記横位置から上記カメラを撮影レンズ光軸周りに９０度回転した第１の縦位置に構えた場合に上記撮影レンズ光軸より上方に位置し、上記カメラが上記横位置にある場合に上記９０度回転とは逆方向に９０度回転させて上記第１の縦位置とは異なる第２の縦位置とした場合に上記撮影レンズ光軸より下方に位置する第１の操作部材と、
上記カメラが横位置にあるのか、上記第１の縦位置にあるのか、上記第２の縦位置にあるのか、を判別する姿勢判別手段と、
上記カメラが上記横位置にあると判別した場合は、上記第１の操作部材を作動可能とし、上記カメラが上記第１の縦位置にあると判別した場合は、上記第２の操作部材を作動可能とし、上記カメラが上記第２の縦位置にあると判別した場合は、上記第１の操作部材を作動可能とする制御手段と、
を有具備することを特徴とするカメラシステム。
【請求項１８】
上記第１及び第２の操作部材はレリーズ釦であることを特徴とする請求項１７に記載のカメラシステム。
【発明の詳細な説明】
【技術分野】
【０００１】
この発明はカメラシステムに関し、より詳細には、姿勢に応じて機能する複数の操作部材を有するカメラシステムに関するものである。
【背景技術】
【０００２】
一般に使用されているカメラは、その本体の長手方向を水平方向とした横位置に構えて撮影することが多い。そして、カメラボディの長手方向を垂直方向とした縦位置にカメラを構えた場合、レリーズ釦の操作性は、上述した横位置に構えた場合に比べて扱いにくいものとなっている。このため、縦位置用にレリーズ釦が設けられたカメラが開発されている。
【０００３】
こうした縦位置と横位置の姿勢検知には、例えば、導電性のボールが転動する空間である穴の周囲に傾斜部、及び複数個の電極を形成し、ボールを介した電極間の導電を検出することにより当該センサの姿勢を検知するようにした技術が知られている（例えば、特許文献１参照）。
【０００４】
また、こうした姿勢検知の技術を使用したもので、カメラの姿勢を検知して、その姿勢情報に基づいてフォーカスレンズ繰り出し量を補正する技術が知られている（例えば、特許文献２参照）。
【特許文献１】特開平６−６８７５６号公報
【特許文献２】特開平６−３００９６２号公報
【発明の開示】
【発明が解決しようとする課題】
【０００５】
ところで、数多くの枚数の写真撮影を行う場合に使用されるもので、カメラボディに着脱が自在で大容量のバッテリパックを内蔵するバッテリアダプタが開発されている。そして、こうしたバッテリアダプタには、カメラを縦位置に構えた場合に使用されるダイヤルやレリーズ釦等の操作釦が設けられているものがある。また、上記操作釦は、例えば、カメラを横位置に構えた際に、縦位置用の操作釦を誤操作しないようにロックスイッチが設けられている。
【０００６】
しかしながら、撮影時に撮影者がファインダを覗いていると、操作釦がロックされていることに気が付かずに操作釦を操作しようとすることがある。すると、カメラが反応しないため、レリーズタイミングを逃してしまうという課題を有していた。
【０００７】
したがってこの発明は、上記課題に鑑みてなされたものであり、複数の異なる姿勢でカメラを構えた撮影でも、操作が容易なカメラシステムを提供することを目的とする。
【課題を解決するための手段】
【０００８】
すなわち、請求項１に記載の発明は、カメラを横位置で入力操作可能な第１の操作部材と、上記カメラを縦位置で入力操作可能な上記第１の操作部材とは異なる第２の操作部材と、上記カメラが上記横位置か上記縦位置かを判別するための姿勢検出手段と、上記姿勢検出手段の出力に基づいて上記第１の操作部材と上記第２の操作部材の入力操作を制御する制御手段と、を具備したことを特徴とする。
【０００９】
請求項２に記載の発明は、請求項１に記載の発明に於いて、上記第１及び第２の操作部材はレリーズ釦で構成されることを特徴とする。
【００１０】
請求項３に記載の発明は、カメラを通常の横位置にて撮影を行うための上記カメラに設けられた第１の操作部材と、上記カメラに取り付け可能な付属品に設けられ、上記カメラの上記横位置から上記カメラを撮影レンズ光軸周りに略９０度回転して縦位置に構えた場合に上、記第１の操作部材のあった位置と同等の機能位置に位置する第２の操作部材と、上記カメラに設けられ、上記カメラの姿勢を検出する姿勢検出手段と、上記付属品に設けられ、上記第２の操作部材を無条件に機能させる第１の位置と、上記第２の操作部材を機能させない第２の位置と、上記姿勢検出手段の出力に基づいて、上記第２の操作部材を機能させるための第２の操作部材ロック手段と、上記姿勢検出手段の出力と上記第２の操作部材ロック手段に基づいて、上記カメラの第１及び第２の操作部材を制御する制御手段と、を具備したことを特徴とする。
【００１１】
請求項４に記載の発明は、請求項３に記載の発明に於いて、上記第１及び第２の操作部材はレリーズ釦であることを特徴とする。
【００１２】
請求項５に記載の発明は、カメラを通常の横位置にて撮影を行うための上記カメラ上方に設けられた第１の操作部材と、上記カメラに取り付け可能な付属品に設けられ、上記カメラの上記横位置から上記カメラを撮影レンズ光軸周りに略９０度回転して縦位置に構えた場合に、上記撮影レンズより上方に位置する第２の操作部材と、上記カメラに設けられ、上記カメラの姿勢を検出する姿勢検出手段と、上記付属品に設けられ、上記第２の操作部材を無条件に機能させる第１の位置と、上記第２の操作部材を機能させない第２の位置と、上記姿勢検出手段の出力に基づいて、上記第２の操作部材を機能させるための第２の操作部材ロックスイッチと、上記姿勢検出手段の出力と上記第２の操作部材ロック手段に基づいて、上記第１の操作部材と第２の操作部材を制御する制御手段と、を具備したことを特徴とする。
【００１３】
請求項６に記載の発明は、請求項５に記載の発明に於いて、上記第１及び第２の操作部材はレリーズ釦であることを特徴とする。
【００１４】
請求項７に記載の発明は、カメラを通常の横位置にて撮影を行うための第１の操作部材と、上記カメラの上記横位置から上記カメラを撮影レンズ光軸周りに略９０度回転して縦位置に構えた場合に、上記第１のレリーズ釦のあった位置と同等の機能位置に位置する第２の操作部材と、上記カメラの横位置、縦位置を検出する姿勢検出手段と、上記第２の操作部材を無条件に機能させる第１の位置と、上記第２の操作部材を機能させない第２の位置と、上記姿勢検出手段の出力に基づいて、上記第２の操作部材を機能させるための第２の操作部材ロックスイッチと、上記姿勢検出手段の出力と上記第２の操作部材ロック手段に基づいて、上記第１の操作部材と第２の操作部材を制御する制御手段と、を具備したことを特徴とする。
【００１５】
請求項８に記載の発明は、請求項７に記載の発明に於いて、上記第１及び第２の操作部材はレリーズ釦であることを特徴とする。
【００１６】
請求項９に記載の発明は、カメラを通常の横位置にて撮影を行うための撮影レンズの光軸より上方に位置する第１の操作部材と、上記カメラの上記横位置から上記カメラを撮影レンズ光軸周りに略９０度回転して縦位置に構えた場合に、上記撮影レンズの光軸より上方に位置する第２の操作部材と、上記カメラの横位置、縦位置を検出する姿勢検出手段と、上記第２の操作部材を無条件に機能させる第１の位置と、上記第２の操作部材を機能させない第２の位置と、上記姿勢検出手段の出力に基づいて、上記第２の操作部材を機能させるための第２の操作部材ロックスイッチと、上記姿勢検出手段の出力と上記第２の操作部材ロック手段に基づいて、上記第１の操作部材と第２の操作部材を制御する制御手段と、を具備したことを特徴とする。
【００１７】
請求項１０に記載の発明は、請求項９に記載の発明に於いて、上記第１及び第２の操作部材はレリーズ釦であることを特徴とする。
【００１８】
請求項１１に記載の発明は、カメラを通常の横位置にて撮影を行うための上記カメラの撮影レンズ光軸より上方に設けられた第１の操作部材と、上記カメラに取り付け可能な付属品に設けられ、上記カメラの上記横位置から上記カメラを撮影レンズ光軸周りに略９０度回転して縦位置に構えた場合に、上記撮影レンズ光軸より上方に位置する第２の操作部材と、上記カメラに設けられ、上記カメラの姿勢を検出する姿勢検出手段と、上記姿勢検出手段の出力に基づいて、上記第１の操作部材と上記第２の操作部材を制御する制御手段と、を具備したことを特徴とする。
【００１９】
請求項１２に記載の発明は、請求項１１に記載の発明に於いて、上記第１及び第２の操作部材はレリーズ釦であることを特徴とする。
【００２０】
請求項１３に記載の発明は、カメラを通常の横位置にて撮影を行うための上記カメラの撮影レンズ光軸より上方に設けられた第１の操作部材と、上記カメラの上記横位置から上記カメラを撮影レンズ光軸周りに略９０度回転して縦位置に構えた場合に、上記撮影レンズ光軸より上方に位置する第２の操作部材と、上記カメラの姿勢を検出する姿勢検出手段と、上記姿勢検出手段の出力に基づいて、上記第１の操作部材と上記第２の操作部材を制御する制御手段と、を具備したことを特徴とする。
【００２１】
請求項１４に記載の発明は、請求項１３に記載の発明に於いて、上記第１及び第２の操作部材はレリーズ釦であることを特徴とする。
【００２２】
請求項１５に記載の発明は、カメラに設けられ、該カメラを通常の横位置にて撮影を行うための上記カメラの撮影レンズ光軸より上方に位置する第１の操作部材と、上記カメラに取り付け可能な付属品に設けられ、上記カメラが上記横位置にある場合は撮影レンズ光軸より下方に位置し、上記カメラの上記横位置から上記カメラを撮影レンズ光軸周りに９０度回転した第１の縦位置に構えた場合に上記撮影レンズ光軸より上方に位置し、上記カメラが上記横位置にある場合に上記９０度回転とは逆方向に９０度回転させて上記第１の縦位置とは異なる第２の縦位置とした場合に上記撮影レンズ光軸より下方に位置する第１の操作部材と、上記カメラが横位置にあるのか、上記第１の縦位置にあるのか、上記第２の縦位置にあるのか、を判別する姿勢判別手段と、上記カメラが上記横位置にあると判別した場合は、上記第１の操作部材を作動可能とし、上記カメラが上記第１の縦位置にあると判別した場合は、上記第２の操作部材を作動可能とし、上記カメラが上記第２の縦位置にあると判別した場合は、上記第１の操作部材を作動可能とする制御手段と、を具備したことを特徴とする。
【００２３】
請求項１６に記載の発明は、請求項１５に記載の発明に於いて、上記第１及び第２の操作部材はレリーズ釦であることを特徴とする。
【００２４】
請求項１７に記載の発明は、カメラを通常の横位置にて撮影を行うための上記カメラの撮影レンズ光軸より上方に設けられた第１の操作部材と、上記カメラが上記横位置にある場合は撮影レンズ光軸より下方に位置し、上記カメラの上記横位置から上記カメラを撮影レンズ光軸周りに９０度回転した第１の縦位置に構えた場合に上記撮影レンズ光軸より上方に位置し、上記カメラが上記横位置にある場合に上記９０度回転とは逆方向に９０度回転させて上記第１の縦位置とは異なる第２の縦位置とした場合に上記撮影レンズ光軸より下方に位置する第１の操作部材と、上記カメラが横位置にあるのか、上記第１の縦位置にあるのか、上記第２の縦位置にあるのか、を判別する姿勢判別手段と、上記カメラが上記横位置にあると判別した場合は、上記第１の操作部材を作動可能とし、上記カメラが上記第１の縦位置にあると判別した場合は、上記第２の操作部材を作動可能とし、上記カメラが上記第２の縦位置にあると判別した場合は、上記第１の操作部材を作動可能とする制御手段と、を有具備することを特徴とする。
【００２５】
請求項１８に記載の発明は、請求項１７に記載の発明に於いて、上記第１及び第２の操作部材はレリーズ釦であることを特徴とする。
【発明の効果】
【００２６】
この発明によれば、複数の異なる姿勢でカメラを構えた撮影でも、操作が容易なカメラシステムを提供することができる。
【発明を実施するための最良の形態】
【００２７】
以下、図面を参照してこの発明の実施形態を説明する。
【００２８】
（第１の実施形態）
図１は、この発明の第１の実施形態に係るカメラシステムの外観斜視図である。
【００２９】
このカメラシステムは、カメラボディ１とパワーバッテリホルダ（ＰＢＨ）１０とを有して構成される。
【００３０】
上記カメラボディ１の前面部には、撮影レンズを有したレンズ鏡筒２が装着されると共に、このカメラボディ１を把持してホールドするためのグリップ３が形成されている。このグリップ３の上方には、後述するレリーズスイッチに対応したレリーズ釦５と、データ設定ダイヤル６、及びモード変更ダイヤル７が設けられている。上記レリーズ釦５とデータ設定ダイヤル６は、カメラボディ１の長手方向を水平方向とした第１の位置としての横位置（以下、単に横位置と称する）用の操作部材（第１の操作部材）である。
【００３１】
上記モード変更ダイヤル７は、例えば露出モードを、プログラム、絞り優先、シャッタ優先、マニュアル露出に変更するためのものである。そして、データ設定ダイヤル６は、上記モード変更ダイヤル７で変更された各露出モード時に、プログラムシフト、絞り値の変更、シャッタスピードの設定等を行うためのものである。
【００３２】
一方、カメラボディ１の下部に装着されるパワーバッテリホルダ１０は、その下面部でグリップ３の下方に第２操作部材ロック手段としてのロックレバー１１が配されている。このロックレバー１１は、詳細を後述するように、例えば３つの設定された位置、すなわち、ロック（ＬＯＣＫ）位置、オートロック（ＡＵＴＯ−ＬＯＣＫ）位置及びロックを解除するオフ（ＯＦＦ）位置が切り替えられるようになっている。
【００３３】
また、図１に於いて左側、すなわちグリップ３の下方には、カメラボディの長手方向を垂直方向とした第２の位置としての縦位置（以下、単に縦位置と称する）用のレリーズ釦１２とデータ設定ダイヤル１３が設けられている。これら縦位置用のレリーズ釦１２とデータ設定ダイヤル１３は、第２の操作部材を構成している。
【００３４】
図２は図１のカメラボディに装着されるパワーバッテリホルダ１０の構成を示した外観斜視図、図３はパワーバッテリホルダが装着されていない状態カメラボディ１及びパワーバッテリホルダ１０の構成を示す外観図である。
【００３５】
図３（ａ）に示されるように、カメラボディ１の前面部の略中央には、レンズ鏡筒２を装着するためのマウント部３０が設けられている。尚、３１は入射光束を図示されないファインダに導くためのメインミラーである。
【００３６】
また、カメラボディ１の底面部で、上記グリップ３の下方には開閉自在な電池蓋が設けられている（図示せず）。この電池蓋内には、カメラの電源としての電池が装填されるべく電池室３２が設けられている。更に、カメラボディ１の底面部には、図示されない三脚等を取り付ける際の雌ネジである三脚ネジ３３と、三脚等の位置合わせ用としての位置決め穴３４が形成されている。
【００３７】
一方、図２及び図３（ｂ）に示されるように、パワーバッテリホルダ１５は、上記カメラボディ１の底面部と相対する面で、上記三脚ネジ３３、位置決め穴３４と相対する位置に、それぞれ三脚ネジ２３、位置決めピン２４が、それぞれ形成されている。この三脚ネジ２３は、カメラボディ１側の三脚ネジ３３と螺合する雄ネジで構成されている。
【００３８】
更に、上記電池蓋と相対する位置には、側面部に端子部２１が配された接片支柱１７が形成されている。この接片支柱１７には、また、カメラボディ１内部の図示されない識別端子と接触してパワーバッテリホルダ１０の装着の有無を判別するための識別用突起１９と、図示されない電気接点と接触する電極接点部２０が形成されている。そして、この接片支柱１９の根本近傍には、防水シール（Ｏリング）１８が配されている。
【００３９】
いま、図３（ａ）及び（ｂ）に示されるように、カメラボディ１の電池蓋が取り外されて、図示矢印Ａで表されるように、電池室３２に接片支柱１７が挿入される。すると、防水シール１８が電池室３２の周壁と嵌合されてその内周壁に当接され、位置決めピン２４が位置決め穴３４に嵌入され、更に三脚ネジ２３が三脚ネジ３３と螺合する。これによって、カメラボディ１に対して、パワーバッテリホルダ１０の位置決めがなされるわけである。
【００４０】
尚、上記接点支柱１７の水平方向の断面形状は、カメラボディ１の電池室３２の水平方向の断面形状に相似してやや小さい。また、三脚ネジ３３は、パワーバッテリホルダ１０の上面部の三脚ネジ用の穴とは遊嵌している状態である。
【００４１】
パワーバッテリホルダ１０の上面部には、また、カメラボディ１の電池蓋を収納するための凹部が形成されて、電池蓋収納部２２が構成されている。接片支柱１７が電池室３２に挿入されるにあたり、電池蓋はカメラボディ１から取り外されるようになっている。そのため、パワーバッテリホルダ１０を使用する際に、取り外された電池蓋を紛失しないように、電池蓋収納部２２に電池蓋を嵌め込むようにしている。
【００４２】
また、パワーバッテリホルダ１０の前面部には、三脚ネジ２３をカメラボディ１の三脚ネジ３３と螺合させるための三脚ネジダイアル２５が設けられている。この三脚ネジダイアル２５を所定方向に回転させることにより、三脚ネジ２３と三脚ネジ３３の螺合状態が調節されて、パワーバッテリホルダ１０とカメラボディ１との装着、取り外しがなされるようになっている。上記パワーバッテリホルダ１０の下部には、このパワーバッテリホルダ１０がカメラボディ１に装着された状態で縦位置に構えられた際に、カメラシステムを把持するためのグリップ１５が形成されている。
【００４３】
更に、パワーバッテリホルダ１０内には、このパワーバッテリホルダ１０本体に挿脱自在のバッテリパック１６が装着される。
【００４４】
尚、上述したカメラボディ１及びパワーバッテリホルダ１０は、モールドまたはプラスチック等により構成されている。
【００４５】
次に、本実施形態のカメラシステムの構成について詳しく説明する。
【００４６】
図４は、本カメラシステムの主に電気的な構成を概略的に示すブロック構成図である。
【００４７】
図４に於いて、このカメラシステムは、ボディユニット５０と、交換レンズとしてのレンズユニット（すなわちレンズ鏡筒）４０とから主に構成されており、ボディユニット５０の前面に対して、所望のレンズ鏡筒が着脱自在に設定されている。また、ボディユニット５０の下面には、上述したパワーバッテリホルダ１０が装着可能な構成となっている。更に、ボディユニット５０の上部に対して、所望のストロボユニット１１０が着脱可能な構成となっている。
【００４８】
上記レンズユニット４０の制御は、レンズ制御用マイクロコンピュータ（以下、Ｌμｃｏｍと称する）４５によって行われる。一方、ボディユニット５０の制御は、制御手段であるボディ制御用マイクロコンピュータ（以下、Ｂμｃｏｍと称する）７５によって行われる。
【００４９】
尚、これらＬμｃｏｍ４５とＢμｃｏｍ７５とは、合体時に於いて通信コネクタ４６を介して、通信可能に電気的接続がなされる。そしてカメラシステムとして、Ｌμｃｏｍ４５がＢμｃｏｍ７５に従属的に協働しながら稼動するようになっている。
【００５０】
レンズユニット４０内には、撮影レンズ４１と絞り４２が設けられている。撮影レンズ４１は、レンズ駆動機構４３内に存在する図示されないＤＣモータによって駆動される。また、絞り４２は、絞り駆動機構４４内に存在する図示されないステッピングモータによって駆動される。Ｌμｃｏｍ４５は、Ｂμｃｏｍ７５の指令に従って、これら各モータを制御する。
【００５１】
一方、ボディユニット５０内には、次の構成部材が図示のように配設されている。
【００５２】
例えば、光学系としての一眼レフ方式の構成部材（クイックリターンミラー５１、フォーカシングスクリーン５２、ペンタプリズム５３、接眼レンズ５４、サブミラー５７）と、上記サブミラー５７からの反射光束を受けて自動測距するためのＡＦセンサユニット５８と、光軸上のフォーカルプレーン式のシャッタ部６２と、が設けられている。尚、上記フォーカシングスクリーン５２の近傍には、詳細を後述するファインダ内表示用液晶パネル５５が配置されている。
【００５３】
また、ボディユニット５０内には、上記ＡＦセンサユニット５８を駆動制御するためのＡＦセンサ駆動回路５９と、上記クイックリターンミラー５１を駆動制御するミラー駆動機構６１と、上記シャッタ部６２の先幕と後幕を駆動するバネをチャージするシャッタチャージ機構６６と、それら先幕と後幕の動きを制御するシャッタ制御回路６７と、上記ペンタプリズム５３からの光束に基づいて測光処理するための測光回路７８と、が設けられている。
【００５４】
また、光軸上には、上記光学系を通過した被写体像を光電変換するための撮像素子（ＣＣＤユニット）６４が、光電変換素子として設けられている。更に、このＣＣＤユニット６４は、該ＣＣＤユニット６４と撮影レンズ４１との間に配された光学素子としての防塵フィルタ６３によって保護されている。そして、この防塵フィルタ６３を所定の周波数で振動させるために、例えば圧電素子６８がその防塵フィルタ６３の周縁部に取り付けられている。また、圧電素子６８は２つの電極を有しており、この圧電素子６８が防塵フィルタ駆動回路８０によって防塵フィルタ６３を振動させ、そのフィルタ表面に付着していた塵を除去できるように構成されている。よって、このカメラシステムはいわゆる「防塵機能付きカメラ」に属する基本構造を持つ電子カメラである。
【００５５】
尚、ＣＣＤユニット６４の周辺の温度を測定するために、防塵フィルタ６３の近傍には、温度測定回路８１が設けられている。
【００５６】
このボディユニット５０には、また、ＣＣＤユニット６４に接続されたＣＣＤインターフェイス回路７０と、液晶モニタ７４と、記憶領域として設けられたＳＤＲＡＭ７２と、フラッシュメモリ７３及び通信コネクタ９１を介して記録メディア９２等を利用して画像処理する画像処理コントローラ（画像形成手段）７１とが設けられ、電子撮像機能と共に電子記録表示機能を提供できるように構成されている。
【００５７】
その他の記憶領域としては、カメラ制御に必要な所定の制御パラメータを記憶するもので、例えば、ＥＥＰＲＯＭから成る不揮発性メモリ７９が、Ｂμｃｏｍ７５からアクセス可能に設けられている。
【００５８】
また、Ｂμｃｏｍ７５には、このカメラシステムが横位置で構えられているか縦位置で構えられているかを検出するための周知の姿勢検出手段である姿勢センサ８２と、当該カメラシステムの動作状態を表示出力によって撮影者へ告知するための動作表示用ＬＣＤ８６と、上記記録メディア９２の着脱状態を検出するための着脱検出スイッチ（ＳＷ）８７と、カメラ操作スイッチ（ＳＷ）８８と、ストロボ通信回路６１が設けられている。
【００５９】
更に、Ｂμｃｏｍ７５には、パワーバッテリホルダ１０がボディユニット５０に装着されたことを検出するためのパワーバッテリホルダ検出スイッチ８９と、電源としてのパワーバッテリホルダ１０内の電池１０１の電圧を当該カメラシステムを構成する各回路ユニットが必要とする電圧に変換して供給するための電源回路８３と、上記電池１０１から電流が供給されたときの電圧変化を検出する電圧検出回路８４とが併設されている。
【００６０】
上記カメラ操作スイッチ８８は、例えばレリーズスイッチ、モード変更スイッチ、測光モード変更スイッチ及びパワースイッチ等、当該カメラを操作するために必要な操作釦を含むスイッチ群で構成される。
【００６１】
上記パワーバッテリホルダ１０内には、上述した電池１０１の他、レリーズ釦１２、データ設定ダイヤル１３等のパワーバッテリホルダ操作スイッチ（ＳＷ）１０２と、ロックレバー１１に対応したロックスイッチ（ＬＯＣＫ−ＳＷ）１０３を有している。このロックスイッチ１０３の構成については後述する。
【００６２】
ストロボユニット１１０は、閃光発光管１１１と、ＤＣ／ＤＣコンバータ１１２と、ストロボ制御用マイクロコンピュータ１１３と、電池１１４とを有して構成されている。そして、ストロボ制御用マイクロコンピュータ１１３が、ストロボ通信コネクタ１１５を介してＢμｃｏｍ７５と通信されることにより、ストロボ発光が制御される。
【００６３】
尚、ここではストロボユニット１１０はボディユニット５０の外部に取り付けられるものを例として説明するが、これに限られずに内蔵ストロボ装置を使用するものであっても良い。
【００６４】
上述したように構成されたカメラシステムでは、各部が次のように稼動する。
【００６５】
Ｂμｃｏｍ７５の指令に従って、画像処理コントローラ７１によりＣＣＤインターフェイス回路７０が制御され、ＣＣＤユニット６４から画像データが取り込まれる。この画像データは、画像処理コントローラ７１でビデオ信号に変換され、液晶モニタ７４にて出力表示される。撮影者は、この液晶モニタ７４の表示画像から、撮影された画像イメージが確認可能である。
【００６６】
ＳＤＲＡＭ７２は画像データの一時的保管用メモリであり、画像データが変換される際のワークエリア等に使用される。また、この画像データは、ＪＰＥＧデータに変換された後に、記録メディア９２に保管されるように設定されている。
【００６７】
上記ＣＣＤユニット６４は、透明な防塵フィルタ６３によって保護されている。この防塵フィルタ６３の周縁部には、そのフィルタ面を加振するための圧電素子６８が配置されている。、この圧電素子６８は、上述したように、このための駆動手段としても働く防塵フィルタ駆動回路８０によって駆動される。ＣＣＤユニット６４及び圧電素子６８は、防塵フィルタ６３を一面とし、且つ破線で示されるような枠体によって囲まれたケース内に一体的に収納されることが、防塵のためにはより好ましい。
【００６８】
通常、温度はガラス製の物材の弾性係数に影響し、その固有振動数を変化させる要因の１つであるため、運用時にその温度を計測してその固有振動数を変化を考慮しなければならない。稼動中に温度上昇が激しいＣＣＤユニット６４の前面を保護するため設けられた防塵フィルタ６３の温度変化を測定してその時の固有振動数を予想するほうがよい。したがって、この例の場合、上記温度測定回路８１に接続されたセンサ（図示せず）が、ＣＣＤユニット６４の周辺温度を測定するため設けられている。尚、そのセンサの温度測定ポイントは、防塵フィルタ６３の振動面の極近傍に設定されるのが好ましい。
【００６９】
ミラー駆動機構６１は、クイックリターンミラー５１のＵＰ（アップ）位置とＤＯＷＮ（ダウン）位置へと駆動するための機構である。上記クイックリターンミラー５１がＤＯＷＮ位置にある時、撮影レンズ４１からの光束は、ＡＦセンサユニット５８側とペンタプリズム５３側へと分割されて導かれる。
【００７０】
ＡＦセンサユニット５８内のＡＦセンサからの出力は、ＡＦセンサ駆動回路５９を介してＢμｃｏｍ７５へ送信されて周知の測距処理が行われる。
【００７１】
また、ペンタプリズム５３に隣接する接眼レンズ５４からは、撮影者が被写体を目視できる。一方、このペンタプリズム５３を通過した光束の一部は、測光回路７８へ導かれ、ここで検知された光量に基づいて周知の測光処理が行われる。
【００７２】
図５は、上述したパワーバッテリホルダ１０に設けられた操作部材の電気的構成を示した回路図である。尚、カメラボディ１側に設けられた操作部材については、パワーバッテリホルダ１０側の操作部材と同様であるので、ここでの説明は省略する。
【００７３】
上述したロックレバー１１は、３つの設定された位置、すなわち、ロック（ＬＯＣＫ）位置、オートロック（ＡＵＴＯ−ＬＯＣＫ）位置及びロックの解除を行うオフ（ＯＦＦ）位置を切り替えるためのロックスイッチ（ＬＯＣＫ−ＳＷ）（第２の操作部材ロックスイッチ）１０３に対応している。
【００７４】
ここで、ロックスイッチ１０３がロック位置に切り替えられると、レリーズ釦１２及びデータ設定ダイヤル１３等の操作部材が操作されても機能しないよう、これらの操作部材が強制的にロックされる。これは、通常、カメラを横位置に構えた場合は横位置用の操作部材を使用するので、誤操作を防止するために縦位置用の操作部材を機能させないようにするためである。
【００７５】
また、ロックスイッチ１０３がオフ位置に切り替えられると、操作部材のロックを解除し、例えばカメラを横位置に構えた場合等、何れの場合であっても縦位置用の操作部材であるレリーズ釦１２及びデータ設定ダイヤル１３の操作が有効になる。
【００７６】
更に、ロックスイッチ１０３がオートロック位置に切り替えられると、後述するように、ボディユニット５０内の姿勢センサ８２によりカメラの姿勢が検知されて、その状態に応じて、縦位置用の操作部材であるレリーズ釦１２及びデータ設定ダイヤル１３の操作が有効或いはロックされる。
【００７７】
レリーズ半押しスイッチ（ＳＷ）１０５、レリーズ全押しスイッチ（ＳＷ）１０６及びデータ設定ダイヤル１０７は、図４のパワーバッテリホルダ１０内のパワーバッテリホルダ操作スイッチ１０２に含まれる。
【００７８】
上記レリーズ半押しスイッチ１０５及びレリーズ全押しスイッチ１０６は、レリーズ釦１２に対応した撮影用のレリーズスイッチである。レリーズ釦１２の半押しの状態でレリーズ半押しスイッチ１０５がオンされ、更にレリーズ釦１２が全押しの状態になるとレリーズ全押しスイッチ１０６がオンされる。
【００７９】
データ設定ダイヤル１０７はデータ設定ダイヤル１３に対応するもので、ロータリスイッチにより構成されている。このデータ設定ダイヤルでは、撮影に関する種々のデータが設定される。
【００８０】
次に、図６及び図７のフローチャートを参照して、第１の実施形態の動作を説明する。
【００８１】
図６及び図７は、この発明の第１の実施形態に係るカメラシステムの撮影動作について説明するフローチャートである。
【００８２】
カメラボディ１内に電池が装填されると、このカメラシステムの動作が開始される。先ず、ステップＳ１では、Ｂμｃｏｍ７５の初期化が行われる。次いで、ステップＳ２に於いて、図示されないパワースイッチの状態が判定される。ここで、パワースイッチがオンされるまで待機し、オンされるとステップＳ３へ移行する。
【００８３】
ステップＳ３では、カメラボディ１側のデータ設定ダイヤル６の状態が判定される。ここで、例えば、露出の秒時、絞り値、撮影モードに応じた操作等がなされたか否かが判定される。データ設定ダイヤル６が操作された場合は、ステップＳ４へ移行して該ダイヤル操作の処理が行われた後、ステップＳ５へ移行する。一方、データ設定ダイヤル６が操作されない場合は、ステップＳ４をスキップしてステップＳ５へ移行する。
【００８４】
そして、ステップＳ５に於いて、カメラボディ１側のレリーズ釦５が操作されたか否かが判定される。ここで、レリーズ釦５が操作されない場合は、ステップＳ１３へ移行する。一方、レリーズ釦５が操作された場合は、続くステップＳ６にてカメラボディ１側のレリーズ釦５が半押しの状態であるか否かが判定される。このステップＳ６にて、レリーズ釦５が半押し状態でなければ、ステップＳ１３へ移行する。
【００８５】
ステップＳ６にてレリーズ釦５が半押しされたならば、続くステップＳ７にて露出演算が行われる。次いで、ステップＳ８にてＡＦセンサユニット５８等により合焦動作が行われる。そして、ステップＳ９にて合焦したと判定されるまで、上記ステップＳ８及びＳ９が繰り返される。
【００８６】
ステップＳ９にて合焦したと判定されたならば、ステップＳ１０に移行してカメラボディ１側のレリーズ釦５が全押しされた状態であるか否かが判定される。ここで、レリーズ釦５がまだ全押し状態でなければ、上記ステップＳ６へ移行する。
【００８７】
そして、上記ステップＳ１０にてレリーズ釦５が全押し状態になったならば、ステップＳ１１へ移行して露出動作、すなわちＣＣＤユニット６４による被写体像の読み込みが行われる。この後、ステップＳ１２にて、記録メディア９２に撮像された画像が記録される。
【００８８】
次に、ステップＳ１３では、パワーバッテリホルダ（ＰＢＨ）検出スイッチ８９の状態が判定される。ここで、パワーバッテリホルダ検出スイッチ８９がオフであれば、パワーバッテリホルダ１０がボディユニット５０に装着されていないので、上記ステップＳ２へ移行する。一方、パワーバッテリホルダ検出スイッチ８９がオンであれば、パワーバッテリホルダ１０がボディユニット５０に装着されていることを表す。したがって、ステップＳ１４へ移行する。
【００８９】
ステップＳ１４では、パワーバッテリホルダ１０側のデータ設定ダイヤル１３の状態が判定される。ここで、データ設定ダイヤル１３が操作されなければステップＳ１９へ移行し、データ設定ダイヤル１３が操作された場合はステップＳ１５へ移行する。
【００９０】
ステップＳ１５に於いては、パワーバッテリホルダ１０のロックレバー１１の状態が判定される。ここで、ロックレバー１１（ロックスイッチ１０３）がロック位置に切り替えられた場合は、ステップＳ１８へ移行して、ファインダ内表示用液晶パネル５５に警告表示がなされる。
【００９１】
図８は、ファインダを構成するフォーカシングスクリーン５２及びファインダ内表示用液晶パネル５５の表示例を示した図である。
【００９２】
例えば、フォーカシングスクリーン５２のほぼ中央部には、ＡＦ測距エリア５２ａ及び中央重点測距エリア５２ｂが示されている。また、ファインダ内表示用液晶パネル５５には、現在のシャッタスピード（ＳＳ；この場合２０００（１／２０００秒））、絞り値（Ｆｎｏ．；この場合８．０）等が表示される。
【００９３】
上記ステップＳ１５にて、ロックレバー１１がロック位置であると判定されると、ステップＳ１８にてロックスイッチ１０３が“ＬＯＣＫ”状態である、とファインダ内表示用液晶パネル５５に点滅表示されることにより、警告される。これにより、撮影者は誤操作を防止するべく情報を知ることができる。
【００９４】
また、ステップＳ１５にて、ロックレバー１１がオートロック位置であると判定された場合は、続くステップＳ１６にてカメラの構え（姿勢）が縦位置か否かが判定される。これは、姿勢センサ８２により検出された姿勢を基に判定される。ここで、縦位置でない、すなわち横位置である場合は、操作されるレリーズ釦１２、データ設定ダイヤル１３がカメラボディ１の下側に位置されるので、扱いにくくなる。したがって、ステップＳ１８へ移行して、ロックレバー１１がオートロック位置であることがファインダ内表示用液晶パネル５５に点滅表示されることにより、警告される。
【００９５】
上記ステップＳ１６にて姿勢が縦位置である場合は、パワーバッテリホルダ１０側のデータ設定ダイヤル１３が使用されるものとして、ステップＳ１７へ移行して該ダイヤル１３の操作の処理が行われる。
【００９６】
更に、上記ステップＳ１５に於いて、ロックレバー１１がオフ位置に切り替えられた場合は、ステップＳ１７へ移行する。
【００９７】
次に、ステップＳ１９では、パワーバッテリホルダ１０側のレリーズ釦１２が操作されたか否かが判定される。ここで、レリーズ釦１２が操作されない場合は、ステップＳ２へ移行する。一方、レリーズ釦１２が操作された場合は、続くステップＳ２０にて、再度パワーバッテリホルダ１０のロックレバー１１の状態が判定される。
【００９８】
ここで、ロックレバー１１がロック位置に切り替えられた場合は、ステップＳ２２へ移行して、ファインダ内表示用液晶パネル５５により警告表示がなされる。また、上記ステップＳ２０にて、ロックレバー１１がオートロック位置であると判定された場合は、続くステップＳ２１にてカメラの姿勢が縦位置か否かが判定される。ここで、横位置である場合は、ステップＳ２２へ移行してファインダ内表示用液晶パネル５５により警告表示がなされる。
【００９９】
上記ステップＳ１６にて姿勢が縦位置である場合は、パワーバッテリホルダ１０側のデータ設定ダイヤル１３が使用されるものとして、ステップＳ２３へ移行する。更に、上記ステップＳ２０に於いて、ロックレバー１１がオフ位置に切り替えられた場合は、ステップＳ２３へ移行する。
【０１００】
ステップＳ２３では、パワーバッテリホルダ１０側のレリーズ釦１２が半押しの状態（レリーズ半押しスイッチ１０５がオン）であるか否かが判定される。このステップＳ２３にて、レリーズ釦１２が半押し状態でなければ、上記ステップＳ２へ移行する。
【０１０１】
上記ステップＳ２３にてレリーズ釦１２が半押しされたならば、続くステップＳ２４にて露出演算が行われる。次いで、ステップＳ２５にてＡＦセンサユニット５８等により合焦動作が行われる。そして、ステップＳ２６にて合焦したと判定されるまで、上記ステップＳ２５及びＳ２６が繰り返される。
【０１０２】
ステップＳ２６にて合焦したと判定されたならば、ステップＳ２７に移行してパワーバッテリホルダ１０側のレリーズ釦１２が全押しされた状態（レリーズ全押しスイッチ１０６がオン）であるか否かが判定される。ここで、レリーズ釦１２がまだ全押し状態でなければ、上記ステップＳ２３へ移行する。
【０１０３】
そして、上記ステップＳ２７にてレリーズ釦１２が全押し状態になったならば、ステップＳ２８へ移行して露出動作、すなわちＣＣＤユニット６４による被写体像の読み込みが行われる。更に、ステップＳ２９にて、記録メディア９２に撮像された画像が記録されると、上記ステップＳ２へ移行する。
【０１０４】
この第１の実施形態に於いては、下記表１に示されるように、パワースイッチ（ＰＯＷＥＲ−ＳＷ）がオフの場合は、パワーバッテリホルダ１０のロックレバー１１の状態に関係なく、カメラボディ１、パワーバッテリホルダ１０の何れの操作釦（レリーズ釦）、ダイヤル（データ設定ダイヤル）共、操作することはできない。これは、横位置、縦位置とも同じである。
【表１】
2005165019.tif 000003
【０１０５】
また、パワースイッチがオンされた状態では、パワーバッテリホルダ１０のロックレバー１１の切り替え位置により、その状態に応じて、カメラボディ１、パワーバッテリホルダ１０の操作釦、ダイヤルは、下記表２乃至表４に示されるように、横位置、縦位置で操作状態が決定される。
【０１０６】
すなわち、パワースイッチがオンされた状態に於いて、パワーバッテリホルダ１０のロックレバー１１がロック位置に切り替えられた場合、カメラボディ１側の操作釦、ダイヤルは、横位置、縦位置共、操作が可能である。しかしながら、パワーバッテリホルダ１０側の操作釦、ダイヤルは何れも操作することはできない。
【表２】
2005165019.tif 000004
【０１０７】
また、パワースイッチがオンされた状態に於いて、パワーバッテリホルダ１０のロックレバー１１がオートロック位置に切り替えられた場合、カメラボディ１側の操作釦、ダイヤルは、横位置、縦位置共、操作が可能である。一方、パワーバッテリホルダ１０側の操作釦、ダイヤルは、横位置では操作することはできないが、縦位置では操作が可能である。
【表３】
2005165019.tif 000005
【０１０８】
更に、パワースイッチがオンされた状態に於いて、パワーバッテリホルダ１０のロックレバー１１がオフの位置に切り替えられた場合は、カメラボディ１及びパワーバッテリホルダ１０の操作釦、ダイヤルは、何れも横位置、縦位置共、操作が可能である。
【表４】
2005165019.tif 000006
【０１０９】
このように、第１の実施形態によれば、パワーバッテリホルダ１０のロックレバー１１の切り替え位置に応じて、操作可能な操作釦、ダイヤルを選択することができると共に、操作できない場合はその旨がファインダ内表示用液晶パネル５５に警告表示されるので、誤操作を防止することができる。
【０１１０】
（第２の実施形態）
次に、この発明の第２の実施形態について説明する。
【０１１１】
上述した第１の実施形態では、パワーバッテリホルダのロックレバーの切り替え位置に応じて、横位置、縦位置の操作部材の操作可能な例について述べたが、ロックレバーの切り替えに関係なくカメラの姿勢に応じて操作を行うことができるようにしても良い。
【０１１２】
尚、以下に述べる第２の実施形態に於いては、パワーバッテリホルダ１０にロックレバー（ロックスイッチ）は設けないが、その他の構成は上述した第１の実施の形態と同じであるので、図１乃至図５と同一の部分には同一の参照番号を付して、その図示及び説明は省略し、異なる動作についてのみ説明する。
【０１１３】
図９及び図１０は、この発明の第２の実施形態に係るカメラシステムの撮影動作について説明するフローチャートである。
【０１１４】
カメラボディ１内に電池が装填されると、このカメラシステムの動作が開始される。先ず、ステップＳ３１にてＢμｃｏｍ７５の初期化が行われると、続くステップＳ３２に於いて、図示されないパワースイッチの状態が判定される。ここで、パワースイッチがオンされるまで待機し、オンされるとステップＳ３３へ移行する。
【０１１５】
ステップＳ３３では、カメラボディ１側のデータ設定ダイヤル６の状態が判定される。ここで、例えば、露出の秒時、絞り値、撮影モードに応じた操作等がなされたか否かが判定される。データ設定ダイヤル６が操作された場合はステップＳ３４へ移行し、操作されない場合はステップＳ３７へ移行する。
【０１１６】
ステップＳ３４では、カメラの姿勢が判定される。ここで、カメラが横位置に構えられている場合は、ステップＳ３５に移行して上記ダイヤル操作の処理が行われた後、ステップＳ３７へ移行する。一方、上記ステップＳ３４にてカメラが縦位置に構えられている場合は、ステップＳ３６へ移行してファインダ内表示用液晶パネル５５に警告表示がなされる。この警告表示は、横位置用のカメラボディ１側のダイヤルが操作されたにもかかわらず、カメラを縦位置にしているために行われる。その後、ステップＳ３７へ移行する。
【０１１７】
ステップＳ３７に於いては、カメラボディ１側のレリーズ釦５が操作されたか否かが判定される。ここで、レリーズ釦５が操作されない場合は、ステップＳ４７へ移行する。一方、レリーズ釦５が操作された場合は、ステップＳ３８に移行してカメラの姿勢が判定される。
【０１１８】
ここで、カメラが横位置に構えられている場合はステップＳ４０に移行するが、カメラが縦位置に構えられている場合は、ステップＳ３９へ移行してファインダ内表示用液晶パネル５５に警告表示がなされる。この警告表示は、横位置用のカメラボディ１側のレリーズ釦５が操作されたにもかかわらず、カメラを縦位置にしているために行われる。その後、ステップＳ４７へ移行する。
【０１１９】
ステップＳ４０では、カメラボディ１側のレリーズ釦５が半押しの状態であるか否かが判定される。このステップＳ４０にて、レリーズ釦５が半押し状態でなければ、ステップＳ４７へ移行する。一方、レリーズ釦５が半押しされたならば、続くステップＳ４１にて露出演算が行われる。次いで、ステップＳ４２にてＡＦセンサユニット５８等により合焦動作が行われる。そして、ステップＳ４３にて合焦したと判定されるまで、上記ステップＳ４２及びＳ４３が繰り返される。
【０１２０】
そして、ステップＳ４３にて合焦したと判定されたならば、ステップＳ４４に移行してカメラボディ１側のレリーズ釦５が全押しされた状態であるか否かが判定される。ここで、レリーズ釦５がまだ全押し状態でなければ、上記ステップＳ４０へ移行する。
【０１２１】
そして、上記ステップＳ４４にてレリーズ釦５が全押し状態になったならば、ステップＳ４５へ移行して露出動作、すなわちＣＣＤユニット６４による被写体像の読み込みが行われる。この後、ステップＳ４６にて、記録メディア９２に撮像された画像が記録される。
【０１２２】
次に、ステップＳ４７では、パワーバッテリホルダ（ＰＢＨ）検出スイッチ８９の状態が判定される。ここで、パワーバッテリホルダ検出スイッチ８９がオフであれば、パワーバッテリホルダ１０がボディユニット５０に装着されていないので、上記ステップＳ３２へ移行する。一方、パワーバッテリホルダ検出スイッチ８９がオンであれば、パワーバッテリホルダ１０がボディユニット５０に装着されているとして、ステップＳ４８へ移行する。
【０１２３】
ステップＳ４８では、パワーバッテリホルダ１０側のデータ設定ダイヤル１３の状態が判定される。ここで、データ設定ダイヤル１３が操作されなければステップＳ５２へ移行し、データ設定ダイヤル１３が操作された場合はステップＳ４９へ移行する。
【０１２４】
ステップＳ４９では、カメラの姿勢が判定される。ここで、カメラが縦位置に構えられている場合は、ステップＳ５０に移行して上記ダイヤル操作の処理が行われた後、ステップＳ５２へ移行する。一方、上記ステップＳ４９にてカメラが横位置に構えられている場合は、ステップＳ５１へ移行してファインダ内表示用液晶パネル５５に警告表示がなされる。この警告表示は、縦位置用のパワーバッテリホルダ１０側のダイヤルが操作されたにもかかわらず、カメラを横位置にしているために行われる。その後、ステップＳ５２へ移行する。
【０１２５】
ステップＳ５２に於いては、パワーバッテリホルダ１０側のレリーズ釦１２が操作されたか否かが判定される。ここで、レリーズ釦１２が操作されない場合は、上記ステップＳ３２へ移行する。一方、レリーズ釦１２が操作された場合は、ステップＳ５３に移行してカメラの姿勢が判定される。
【０１２６】
ここで、カメラが縦位置に構えられている場合はステップＳ５５に移行するが、カメラが横位置に構えられている場合は、ステップＳ５４へ移行してファインダ内表示用液晶パネル５５に警告表示がなされる。この警告表示は、縦位置用のパワーバッテリホルダ１０側のレリーズ釦１２が操作されたにもかかわらず、カメラを横位置にしているために行われる。その後、上記ステップＳ３２へ移行する。
【０１２７】
ステップＳ５５では、パワーバッテリホルダ１０側のレリーズ釦１２が半押しの状態（レリーズ半押しスイッチ１０５がオン）であるか否かが判定される。このステップＳ５５にて、レリーズ釦１２が半押し状態でなければ、上記ステップＳ３２へ移行する。
【０１２８】
上記ステップＳ５５にてレリーズ釦１２が半押しされたならば、続くステップＳ５６にて露出演算が行われる。次いで、ステップＳ５７にてＡＦセンサユニット５８等により合焦動作が行われる。そして、ステップＳ５８にて合焦したと判定されるまで、上記ステップＳ５７及びＳ５８が繰り返される。
【０１２９】
ステップＳ５８にて合焦したと判定されたならば、ステップＳ５９に移行してパワーバッテリホルダ１０側のレリーズ釦１２が全押しされた状態（レリーズ全押しスイッチ１０６がオン）であるか否かが判定される。ここで、レリーズ釦１２がまだ全押し状態でなければ、上記ステップＳ５５へ移行する。
【０１３０】
そして、上記ステップＳ５９にてレリーズ釦１２が全押し状態になったならば、ステップＳ６０へ移行して露出動作、すなわちＣＣＤユニット６４による被写体像の読み込みが行われる。更に、ステップＳ６１にて、記録メディア９２に撮像された画像が記録されると、上記ステップＳ３２へ移行する。
【０１３１】
この第２の実施形態に於いては、下記表５に示されるように、パワースイッチ（ＰＯＷＥＲ−ＳＷ）がオフの場合は、カメラボディ１、パワーバッテリホルダ１０の何れの操作釦（レリーズ釦）、ダイヤル（データ設定ダイヤル）共、横位置、縦位置の何れの場合も操作することはできない。
【表５】
2005165019.tif 000007
【０１３２】
また、パワースイッチがオンされた状態に於いては、下記表６に示されるように、カメラボディ１側の操作釦、ダイヤルは、横位置で操作が可能であり、縦位置では操作できない。一方、パワーバッテリホルダ１０側の操作釦、ダイヤルは、横位置では操作することはできないが、縦位置では操作が可能である。
【表６】
2005165019.tif 000008
【０１３３】
このように、第２の実施形態によれば、姿勢センサ８２によってカメラの姿勢（横位置、縦位置）を検出し、この検出された姿勢に応じて、操作可能な操作釦、ダイヤルを選択することができると共に、操作できない場合はその旨がファインダ内表示用液晶パネル５５に警告表示されるので、誤操作を防止することができる。
【０１３４】
（第３の実施形態）
次に、この発明の第３の実施形態について説明する。
【０１３５】
上述した第１及び第２の実施形態では、縦位置を１つとして説明したが、縦位置の場合はカメラボディ１のグリップを下側にして構えることも考えられる（図１４（ａ）参照）。したがって、この第３の実施形態では、こうした姿勢も含めて、２種類の縦位置と横位置を姿勢センサで検出する例について説明する。
【０１３６】
図１１は、この発明の第３の実施形態に於けるカメラシステムの姿勢センサ８２の構成例を示したもので、（ａ）は正面から見た断面図、（ｂ）は（ａ）の姿勢センサ８２を側方から見た断面図である。
【０１３７】
この姿勢センサ８２は、例えば、ほぼＶ字状に折れ曲がった案内路１２１が形成された装置本体８２ａと、上記案内路１２１内を転動可能なボール１２２と、このボール１２２を検出するためのフォトリフレクタＡ１２３ａ、フォトリフレクタＢ１２３ｂ、フォトリフレクタＣ１２３ｃとを有して構成される。
【０１３８】
上記案内路１２１は、図１１（ａ）に示される如く、そのＶ字状の底の部分を第１の位置１２１ａとし、同図に於いて右側の先端部を第２の位置１２１ｂとし、同様に左側の先端部を第３の位置１２１ｃとする。そして、これら第１乃至第３の位置１２１ａ〜１２１ｃの近傍に、上述したフォトリフレクタＡ１２３ａ〜Ｃ１２３ｃが、それぞれ配置されている。
【０１３９】
これにより、第１乃至第３の位置１２１ａ〜１２１ｃの何れかの位置にボール１２２が存在すると、フォトリフレクタＡ１２３ａ〜Ｃ１２３ｃによってこれが検出されるようになっている。すなわち、フォトリフレクタＡ１２３ａ〜Ｃ１２３ｃの何れでボールが検出されるかによって、第１乃至第３の位置が検出されるわけである。
【０１４０】
したがって、このような構成の姿勢センサ８２がカメラボディ１内に取り付けられることにより、容易にカメラの姿勢を検出することができる。
【０１４１】
図１２乃至図１４はこうした姿勢センサ８２が取り付けられたカメラシステムの概念を説明するための図である。尚、ここでは、カメラボディ１、レリーズ釦５、パワーバッテリホルダ１０、レリーズ釦１２及び姿勢センサ８２のみが示され、他の構成要素は省略しているが、基本的に図１のカメラシステムと同じ構成である。
【０１４２】
図１２（ａ）はカメラシステムが横位置の姿勢の例を示したもので、（ｂ）はそのときの案内路１２１とボール１２２の位置関係を示した図である。この場合、ボール１２２は第１の位置１２１ａに存在して、フォトリフレクタＡ１２３ａにより検出されるので、カメラシステムが横位置であると判定される。
【０１４３】
また、図１３（ａ）はカメラシステムが縦位置の姿勢の第１の例を示したもので、（ｂ）はそのときの案内路１２１とボール１２２の位置関係を示した図である。この場合、ボール１２２は第２の位置１２１ｂに存在して、フォトリフレクタＢ１２３ｂにより検出される。したがって、カメラシステムはパワーバッテリホルダ１０側のレリーズ釦１２が上方に位置する第１の縦位置であると判定される。
【０１４４】
同様に、図１４（ａ）はカメラシステムが縦位置の姿勢の第２の例を示したもので、（ｂ）はそのときの案内路１２１とボール１２２の位置関係を示した図である。この場合、ボール１２２は第３の位置１２１ｃに存在して、フォトリフレクタＣ１２３ｃにより検出される。したがって、カメラシステムはパワーバッテリホルダ１０側のレリーズ釦１２が下方に位置する第２の縦位置であると判定される。
【０１４５】
尚、この第３の実施形態に於いては、姿勢センサ８２以外の構成は上述した第１の実施の形態と同じであるので、図１乃至図５と同一の部分には同一の参照番号を付して、その図示及び説明は省略し、異なる動作についてのみ説明する。
【０１４６】
次に、図１５及び図１６のフローチャートを参照して、この発明の第３の実施形態に係るカメラシステムの撮影動作について説明する。
【０１４７】
カメラボディ１内に電池が装填されると、このカメラシステムの動作が開始される。先ず、ステップＳ７１にてＢμｃｏｍ７５の初期化が行われると、続くステップＳ７２に於いて、図示されないパワースイッチの状態が判定される。ここで、パワースイッチがオンされるまで待機し、オンされるとステップＳ７３へ移行する。
【０１４８】
ステップＳ７３では、カメラボディ１側のデータ設定ダイヤル６の状態が判定される。ここで、例えば、露出の秒時、絞り値、撮影モードに応じた操作等がなされたか否かが判定される。データ設定ダイヤル６が操作された場合はステップＳ７４へ移行し、操作されない場合はステップＳ７８へ移行する。
【０１４９】
そして、ステップＳ７４及びＳ７５では、カメラの姿勢が判定される。先ず、ステップＳ７４にて、姿勢センサＡ、すなわちフォトリフレクタＡ１２３ａにより第１の位置１２１ａであると判定された場合は、ステップＳ７６へ移行する。第１の位置１２１ａではない場合、続くステップＳ７５にて姿勢センサＣ、すなわちフォトリフレクタＣ１２３ｃにより第３の位置１２１ｃであるか否かが判定される。ここで、第２の位置１２１ｂであると判定された場合はステップＳ７６へ移行し、それ以外、すなわち、第３の位置１２１ｃであると判定された場合はステップＳ７７へ移行する。
【０１５０】
上述した第１の位置１２１ａは図１２に示される横位置であり、また第３の位置１２１ｃは図１４に示される第２の縦位置である。これらの位置では、通常、カメラボディ１側の操作部材が使用される。したがって、ステップＳ７６にてカメラボディ１側のダイヤル操作の処理が行われる。
【０１５１】
一方、第２の位置１２１ｂは、図１３に示される第１の縦位置である。この位置では、通常、パワーバッテリホルダ１０側の操作部材が使用される。したがって、カメラボディ１側のダイヤルが操作された状態で第１の縦位置である場合は、ステップＳ７７にて、ファインダ内表示用液晶パネル５５に警告表示がなされる。
【０１５２】
次に、ステップＳ７８にて、カメラボディ１側のレリーズ釦５の状態が判定される。ここで、レリーズ釦５が操作されない場合は、ステップＳ８９へ移行する。一方、レリーズ釦５が操作された場合は、ステップＳ７９に移行してカメラの姿勢が判定される。
【０１５３】
そして、ステップＳ７９及びＳ８０では、再びカメラの姿勢が判定される。先ず、ステップＳ７９にて、姿勢センサＡ、すなわちフォトリフレクタＡ１２３ａにより第１の位置１２１ａであると判定された場合は、ステップＳ８２へ移行する。第１の位置１２１ａではない場合、続くステップＳ８０にて姿勢センサＣ、すなわちフォトリフレクタＣ１２３ｃにより第３の位置１２１ｃであるか否かが判定される。
【０１５４】
このステップＳ８０にて、第２の位置１２１ｂであると判定された場合はステップＳ８１へ移行し、それ以外、すなわち、第３の位置１２１ｃであると判定された場合はステップＳ８２へ移行する。ステップＳ８１では、上述したステップＳ７７と同様の理由により、カメラボディ１側のレリーズ釦５が操作された状態で第１の縦位置であるとして、ファインダ内表示用液晶パネル５５に警告表示がなされる。その後、ステップＳ８９へ移行する。
【０１５５】
ステップＳ８２では、カメラボディ１側のレリーズ釦５が半押しの状態であるか否かが判定される。このステップＳ８２にて、レリーズ釦５が半押し状態でなければ、ステップＳ８９へ移行する。一方、レリーズ釦５が半押しされたならば、続くステップＳ８３にて露出演算が行われる。次いで、ステップＳ８４にてＡＦセンサユニット５８等により合焦動作が行われる。そして、ステップＳ８５にて合焦したと判定されるまで、上記ステップＳ８４及びＳ８５が繰り返される。
【０１５６】
そして、ステップＳ８５にて合焦したと判定されたならば、ステップＳ８６に移行してカメラボディ１側のレリーズ釦５が全押しされた状態であるか否かが判定される。ここで、レリーズ釦５がまだ全押し状態でなければ、上記ステップＳ８２へ移行する。
【０１５７】
そして、上記ステップＳ８６にてレリーズ釦５が全押し状態になったならば、ステップＳ８７へ移行して露出動作、すなわちＣＣＤユニット６４による被写体像の読み込みが行われる。この後、ステップＳ８８にて、記録メディア９２に撮像された画像が記録される。
【０１５８】
次に、ステップＳ８９では、パワーバッテリホルダ（ＰＢＨ）検出スイッチ８９の状態が判定される。ここで、パワーバッテリホルダ検出スイッチ８９がオフであれば、パワーバッテリホルダ１０がボディユニット５０に装着されていないので、上記ステップＳ７２へ移行する。一方、パワーバッテリホルダ検出スイッチ８９がオンであれば、パワーバッテリホルダ１０がボディユニット５０に装着されているとして、ステップＳ９０へ移行する。
【０１５９】
ステップＳ９０では、パワーバッテリホルダ１０側のデータ設定ダイヤル１３の状態が判定される。ここで、データ設定ダイヤル１３が操作されなければステップＳ９４へ移行し、データ設定ダイヤル１３が操作された場合はステップＳ９１へ移行する。
【０１６０】
ステップＳ９１では、カメラの姿勢が判定される。ここで、姿勢センサＢ、すなわちフォトリフレクタＢ１２３ｂにより第２の位置１２１ｂであると判定された場合はステップＳ９２へ移行し、それ以外はステップＳ９３へ移行する。
【０１６１】
上述した第２の位置１２１ｂは図１３に示される第１の縦位置である。この位置では、通常、パワーバッテリホルダ１０側の操作部材が使用される。したがって、ステップＳ９２では、パワーバッテリホルダ１０側のダイヤル操作の処理が行われる。
【０１６２】
一方、第２の位置１２１ｂ以外の姿勢位置、すなわち、図１２に示される横位置及び図１４に示される第２の縦位置では、通常、カメラボディ１側の操作部材が使用される。したがって、パワーバッテリホルダ１０側のダイヤルが操作された状態で横位置または第２の縦位置である場合は、ステップＳ９３にて、ファインダ内表示用液晶パネル５５に警告表示がなされる。
【０１６３】
次に、ステップＳ９４では、パワーバッテリホルダ１０側のレリーズ釦１２の状態が判定される。ここで、レリーズ釦１２が操作されない場合は、上記ステップＳ７２へ移行する。一方、レリーズ釦１２が操作された場合は、ステップＳ９５に移行してカメラの姿勢が判定される。
【０１６４】
そして、ステップＳ９５では、再びカメラの姿勢が判定される。ここで、姿勢センサＢ、すなわちフォトリフレクタＢ１２３ｂにより第２の位置１２１ｂであると判定された場合はステップＳ９７へ移行し、それ以外はステップＳ９６へ移行する。
【０１６５】
第２の位置１２１ｂ以外の姿勢位置、すなわち、図１２に示される横位置及び図１４に示される第２の縦位置では、通常、カメラボディ１側の操作部材が使用される。したがって、パワーバッテリホルダ１０側のレリーズ釦１２が操作された状態で横位置または第２の縦位置である場合は、ステップＳ９６にて、ファインダ内表示用液晶パネル５５に警告表示がなされる。その後、上記ステップＳ７２へ移行する。
【０１６６】
ステップＳ９７では、パワーバッテリホルダ１０側のレリーズ釦１２が半押しの状態（レリーズ半押しスイッチ１０５がオン）であるか否かが判定される。このステップＳ９７にて、レリーズ釦１２が半押し状態でなければ、上記ステップＳ７２へ移行する。
【０１６７】
上記ステップＳ９７にてレリーズ釦１２が半押しされたならば、続くステップＳ９８にて露出演算が行われる。次いで、ステップＳ９９にてＡＦセンサユニット５８等により合焦動作が行われる。そして、ステップＳ１００にて合焦したと判定されるまで、上記ステップＳ９９及びＳ１００が繰り返される。
【０１６８】
ステップＳ１００にて合焦したと判定されたならば、ステップＳ１０１に移行してパワーバッテリホルダ１０側のレリーズ釦１２が全押しされた状態（レリーズ全押しスイッチ１０６がオン）であるか否かが判定される。ここで、レリーズ釦１２がまだ全押し状態でなければ、上記ステップＳ９７へ移行する。
【０１６９】
そして、上記ステップＳ１０１にてレリーズ釦１２が全押し状態になったならば、ステップＳ１０２へ移行して露出動作、すなわちＣＣＤユニット６４による被写体像の読み込みが行われる。更に、ステップＳ１０３にて、記録メディア９２に撮像された画像が記録されると、上記ステップＳ７２へ移行する。
【０１７０】
この第３の実施形態に於いては、下記表７に示されるように、パワースイッチ（ＰＯＷＥＲ−ＳＷ）がオフの場合は、カメラボディ１、パワーバッテリホルダ１０の何れの操作釦（レリーズ釦）、ダイヤル（データ設定ダイヤル）共、横位置、第１または第２の縦位置の何れの場合も操作することはできない。
【表７】
2005165019.tif 000009
【０１７１】
また、パワースイッチがオンされた状態に於いては、下記表８に示されるように、カメラボディ１側の操作釦、ダイヤルは、横位置と第２の縦位置で操作が可能であり、第１の縦位置では操作できない。一方、パワーバッテリホルダ１０側の操作釦、ダイヤルは、第１の縦位置のみ操作が可能であるが、横位置と第２の縦位置では操作することはできない。
【表８】
2005165019.tif 000010
【０１７２】
このように、第３の実施形態によれば、姿勢センサ８２によってカメラの３種類の姿勢（横位置、第１または第２の縦位置）を検出し、この検出された姿勢に応じて、操作可能な操作釦、ダイヤルを選択することができると共に、操作できない場合はその旨がファインダ内表示用液晶パネル５５に警告表示されるので、誤操作を防止することができる。
【０１７３】
（第４の実施形態）
次に、この発明の第４の実施形態を説明する。
【０１７４】
上述した第１乃至第３の実施形態では、何れもカメラボディ１に縦位置用の操作部材が設けられたパワーバッテリホルダ１０を装着した例について述べたが、これに限られるものではない。
【０１７５】
例えば、図１７に示されるように、カメラボディ１ａのグリップ３ａの上部に横位置用の操作部材であるレリーズ釦５ａ等を設け、道具リップ３ａの下方に縦位置用の操作アブ材であるレリーズ釦５ｂ等を設け、カメラボディ１ａ内に姿勢センサ８２を設けるように構成しても良い。この場合、上述した第３の実施形態と同様に、姿勢センサ８２で横位置、縦位置の別を検出し、これに反する位置用の操作部材が操作された場合にファインダ内表示用液晶パネル５５に警告表示を行うようにすれば良い。
【０１７６】
尚、この第４の実施形態に於けるその他の構成及び動作は上述した第１乃至第３の実施の形態と同じであるので、図１乃至図１６と同一の部分には同一の参照番号を付して、その図示及び説明は省略する。
【０１７７】
このように、第４の実施形態によれば、パワーバッテリホルダを必要としなくとも、姿勢センサによってカメラの姿勢（横位置、縦位置）を検出し、この検出された姿勢に応じて、操作可能な操作釦、ダイヤルを選択することができると共に、操作できない場合はその旨がファインダ内表示用液晶パネルに警告表示されるので、誤操作を防止することができる。
【０１７８】
（第５の実施形態）
次に、この発明の第５の実施形態を説明する。
【０１７９】
上述した第１乃至第４の実施形態では、何れもカメラボディ１に姿勢センサが設けられた例について述べたが、これに限られるものではない。
【０１８０】
例えば、図１８及び図１９に示されるように、カメラボディ１（ボディユニット５０）に装着されるパワーバッテリホルダ１０内に姿勢センサ１０４を設けるように構成しても良い。そして、上述した第３及び第４の実施形態と同様に、姿勢センサ１０４で横位置、縦位置の別を検出し、これに反する位置用の操作部材が操作された場合にファインダ内表示用液晶パネル５５に警告表示を行うようにすれば良い。
【０１８１】
尚、この第５の実施形態に於けるその他の構成及び動作は上述した第１乃至第４の実施の形態と同じであるので、図１乃至図１６と同一の部分には同一の参照番号を付して、その図示及び説明は省略する。
【０１８２】
このように、第５の実施形態によれば、カメラボディ１側が姿勢センサを有していなくとも、姿勢センサを有するパワーバッテリホルダ１０が装着されれば、該姿勢センサによってカメラの姿勢（横位置、縦位置）を検出することができる。したがって、この検出された姿勢に応じて、操作可能な操作釦、ダイヤルを選択することができると共に、操作できない場合はその旨がファインダ内表示用液晶パネルに警告表示されるので、誤操作を防止することができる。
【０１８３】
以上、この発明の実施形態について説明したが、この発明の主旨を逸脱しない範囲で変形可能であることはもちろんである。
【図面の簡単な説明】
【０１８４】
【図１】この発明の第１の実施形態に係るカメラシステムの外観斜視図である。
【図２】図１のカメラボディに装着されるパワーバッテリホルダ１０の構成を示した外観斜視図である。
【図３】パワーバッテリホルダが装着されていない状態のカメラボディ１及びパワーバッテリホルダ１０の構成を示す外観図である。
【図４】この発明の第１の実施形態に係るカメラシステムの主に電気的な構成を概略的に示すブロック構成図である。
【図５】パワーバッテリホルダ１０に設けられた操作部材の電気的構成を示した回路図である。
【図６】この発明の第１の実施形態に係るカメラシステムの撮影動作について説明するフローチャートである。
【図７】この発明の第１の実施形態に係るカメラシステムの撮影動作について説明するフローチャートである。
【図８】ファインダを構成するフォーカシングスクリーン５２及びファインダ内表示用液晶パネル５５の表示例を示した図である。
【図９】この発明の第２の実施形態に係るカメラシステムの撮影動作について説明するフローチャートである。
【図１０】この発明の第２の実施形態に係るカメラシステムの撮影動作について説明するフローチャートである。
【図１１】この発明の第３の実施形態に於けるカメラシステムの姿勢センサ８２の構成例を示したもので、（ａ）は正面から見た断面図、（ｂ）は（ａ）の姿勢センサ８２を側方から見た断面図である。
【図１２】姿勢センサ８２が取り付けられたカメラシステムの概念を説明するためのもので、（ａ）はカメラシステムが横位置の姿勢の例を示した図、（ｂ）は（ａ）の案内路１２１とボール１２２の位置関係を示した図である。
【図１３】姿勢センサ８２が取り付けられたカメラシステムの概念を説明するためのもので、（ａ）はカメラシステムが縦位置の姿勢の第１の例を示した図、（ｂ）は（ａ）の案内路１２１とボール１２２の位置関係を示した図である。
【図１４】姿勢センサ８２が取り付けられたカメラシステムの概念を説明するためのもので、（ａ）はカメラシステムが縦位置の姿勢の第２の例を示した図、（ｂ）は（ａ）の案内路１２１とボール１２２の位置関係を示した図である。
【図１５】この発明の第３の実施形態に係るカメラシステムの撮影動作について説明するフローチャートである。
【図１６】この発明の第３の実施形態に係るカメラシステムの撮影動作について説明するフローチャートである。
【図１７】この発明の第４の実施形態に係るカメラシステムの構成を示す正面図である。
【図１８】この発明の第５の実施形態に係るカメラシステムの構成を示す正面図である。
【図１９】この発明の第５の実施形態に係るカメラシステムの主に電気的な構成を概略的に示すブロック構成図である。
【符号の説明】
【０１８５】
１…カメラボディ、２…レンズ鏡筒、３、１５…グリップ、５、１２…レリーズ釦、６、１３…データ設定ダイヤル、７…モード変更ダイヤル、１０…パワーバッテリホルダ、１１…ロックレバー、１７…接片支柱、４０…レンズユニット、４１…撮影レンズ、４５…レンズ制御用マイクロコンピュータ（Ｌμｃｏｍ）、５０…ボディユニット、５１…クイックリターンミラー、５２…フォーカシングスクリーン、５３…ペンタプリズム、５５…ファインダ内表示用液晶パネル、５８…ＡＦセンサユニット、６４…ＣＣＤユニット、７０…ＣＣＤインターフェース回路、７１…画像処理コントローラ、７５…ボディ制御用マイクロコンピュータ（Ｂμｃｏｍ）、７８…測光回路、８２…姿勢センサ、８８…カメラ操作スイッチ、８９…パワーバッテリホルダ検出スイッチ、９２…記録メディア、１０１…電池、１０２…パワーバッテリホルダ操作スイッチ、１０３…ロックスイッチ（ＬＯＣＫ−ＳＷ）、１０５…レリーズ半押しスイッチ（ＳＷ）、１０６…レリーズ全押しスイッチ（ＳＷ）、１０７…データ設定ダイヤル、１１０…ストロボユニット。
【図１】
2005165019.tif 000011
【図２】
2005165019.tif 000012
【図３】
2005165019.tif 000013
【図４】
2005165019.tif 000014
【図５】
2005165019.tif 000015
【図６】
2005165019.tif 000016
【図７】
2005165019.tif 000017
【図８】
2005165019.tif 000018
【図９】
2005165019.tif 000019
【図１０】
2005165019.tif 000020
【図１１】
2005165019.tif 000021
【図１２】
2005165019.tif 000022
【図１３】
2005165019.tif 000023
【図１４】
2005165019.tif 000024
【図１５】
2005165019.tif 000025
【図１６】
2005165019.tif 000026
【図１７】
2005165019.tif 000027
【図１８】
2005165019.tif 000028
【図１９】
2005165019.tif 000029